(57)【要約】【課題】シートのフレームやばね系の構造の影響を受けずに受圧部材等の荷重検出手段を設けることができる車両用シートを得る。【解決手段】荷重検出部２８を構成する板状の受圧部３２を、シートバック１２を構成するパッド部２２の背面に形成した凹部８４に設けたサポータ８８に支持させる。これにより、シートバック１２のばね系等の構造に関係なく、検出部本体３０の連結部７０と対向する位置に受圧部３２を配置できる。【選択図】図５
2008018739.tif 000002
【特許請求の範囲】
【請求項１】
成形されてシートフレームに組み付けられたパッド部を有するシート本体と、
前記パッド部に支持されて前記シート本体に作用する荷重を検出する荷重検出手段と、
を備える車両用シート。
【請求項２】
前記パッド部の成形時に前記パッド部と共に成形されて前記荷重検出手段を支持する支持部を備えることを特徴とする請求項１に記載の車両用シート。
【請求項３】
前記パッド部の成形時に前記荷重検出手段の少なくとも一部を前記パッド部に埋設したことを特徴とする請求項１に記載の車両用シート。
【請求項４】
背凭れとなるシートバックを含めて前記シート本体を構成し、前記シートバックの前方からの荷重を検出可能に前記シートバックの前記パッド部に前記荷重検出手段を支持させ、更に、前記荷重検出手段での前記荷重の検出に連動して前記シートバックの上方に設けられたヘッドレストを前方へ移動させるヘッドレスト可動機構を備えることを特徴とする請求項１乃至請求項３の何れか１項に記載の車両用シート。
【発明の詳細な説明】
【技術分野】
【０００１】
本発明は、車両に搭載される車両用シートに係り、特に、シートバックやシートクッション等に作用する荷重を検出する機構を備えた車両用シートに関する。
【背景技術】
【０００２】
例えば、車両が後方から衝突された場合等にヘッドレストを略車両前方側へ移動させ、車両乗員の頭部とヘッドレストの間隔を狭める所謂「アクティブヘッドレスト」の一例が下記特許文献１に開示されている。
【０００３】
この種のアクティブヘッドレストでは、シートバックの内部に前方側からの荷重を検出する受圧部材が設けられており、後方から衝突された場合等の慣性で車両乗員が急激に車両後方へ移動しようとした際にシートバックにかかる荷重を受圧部材で検出し、これに連動してヘッドレストを略車両前方側へ移動させている。
【特許文献１】特開２００６−７８３２公報
【発明の開示】
【発明が解決しようとする課題】
【０００４】
ところで、このようなアクティブヘッドレストでは、受圧部材がシートバックのフレームや、このフレームに取り付けられたばね系に支持される。しかしながら、車種等の違いによりシートの構造が異なると、シートのフレームやばね系も構造が異なる。このため、受圧部材をシートバックのフレームやばね系に取り付ける構造では、シートバックのフレームに連結されたばね系の構造毎に受圧部材の支持位置を設定しなくてはならず、また、これに応じて受圧部材の構造等も変えなくてはならない。
【０００５】
本発明は、上記事実を考慮して、シートのフレームやばね系の構造の影響を受けずに受圧部材等の荷重検出手段を設けることができる車両用シートを得ることが目的である。
【課題を解決するための手段】
【０００６】
請求項１に記載の本発明に係る車両用シートは、成形されてシートフレームに組み付けられたパッド部を有するシート本体と、前記パッド部に支持されて前記シート本体に作用する荷重を検出する荷重検出手段と、を備えている。
【０００７】
請求項１に記載の本発明に係る車両用シートによれば、シート本体のシートフレームに組み付けられたパッド部には荷重検出手段が支持され、シート本体に作用した荷重は荷重検出手段により検出される。
【０００８】
ここで、本発明に係る車両用シートでは、荷重検出手段がパッド部に支持されるため、シートフレームやシートフレームに設けられるばね系が如何なる構造であっても荷重検出手段の支持位置を自由に（例えば、シートフレームの構造が異なっていても基本的に同一の位置に）設定できる。
【０００９】
なお、車両用のシートは、通常、座面を構成するシートクッション及び背凭れを構成するシートバックを含めて構成されるが、本発明を構成するシート本体は、シートクッション及びシートバックの何れであってもよいし、シートクッション及びシートバックとは別の構成であってもよい。
【００１０】
請求項２に記載の本発明に係る車両用シートは、請求項１に記載の本発明において、前記パッド部の成形時に前記パッド部と共に成形されて前記荷重検出手段を支持する支持部を備えることを特徴としている。
【００１１】
請求項２に記載の本発明に係る車両用シートによれば、パッド部が成形される際に支持部が成形され、この支持部に荷重検出手段が支持される。このように、パッド部の成形することでパッド部に支持部が形成されるため、パッド部に荷重検出手段を支持させる際に、あらためて荷重検出手段の支持位置（組付位置）を定めなくてもよく、パッド部に荷重検出手段を組み付ける際の作業性を向上できる。
【００１２】
請求項３に記載の本発明に係る車両用シートは、請求項１に記載の本発明において、前記パッド部の成形時に前記荷重検出手段の少なくとも一部を前記パッド部に埋設したことを特徴としている。
【００１３】
請求項３に記載の本発明に係る車両用シートによれば、パッド部が成形される際に荷重検出手段の少なくとも一部がパッド部に埋設され、これにより、成形されたパッド部には荷重検出手段が支持される。これにより、荷重検出手段をパッド部に支持させるための組付工程が不要になり、荷重検出手段を設ける構成にも関わらず効率よくシート本体を組み立てられる。
【００１４】
請求項４に記載の本発明に係る車両用シートは、請求項１乃至請求項３の何れか１項に記載の本発明において、背凭れとなるシートバックを含めて前記シート本体を構成し、前記シートバックの前方からの荷重を検出可能に前記シートバックの前記パッド部に前記荷重検出手段を支持させ、更に、前記荷重検出手段での前記荷重の検出に連動して前記シートバックの上方に設けられたヘッドレストを前方へ移動させるヘッドレスト可動機構を備えることを特徴としている。
【００１５】
請求項４に記載の本発明に係る車両用シートによれば、シート本体のシートバックを構成するパッド部に荷重検出手段が支持され、シートバックの前方側からシートバックに荷重が作用し、この荷重が荷重検出手段に検出されると、ヘッドレスト可動機構がヘッドレストを前方に移動させる。これにより、ヘッドレストとシート本体に着座した乗員の頭部との間隔が狭まり、車両後方側への乗員の頭部の移動可能量を小さくできる。
【発明の効果】
【００１６】
以上説明したように、請求項１に記載の本発明に係る車両用シートでは、シートフレームの構造の影響を受けずに荷重検出手段を設けることができる。
【００１７】
請求項２に記載の本発明に係る車両用シートでは、効率的に荷重検出手段をパッド部に支持させることができる。
【００１８】
請求項３に記載の本発明に係る車両用シートでは、荷重検出手段を設ける構成にも関わらず効率よくシート本体を組み立てられる。
【００１９】
請求項４に記載の本発明に係る車両用シートでは、シート本体に着座した乗員が車両後方側へ移動しようとした際の荷重等がシートバックに作用した際に、ヘッドレストとシート本体に着座した乗員の頭部との間隔が狭めて、車両後方側への乗員の頭部の移動可能量を小さくできる。
【発明を実施するための最良の形態】
【００２０】
〔第１の実施の形態の構成〕
＜車両用シート１０の基本構成＞
図１には本発明の第１の実施の形態に係る車両用シート１０の要部の構成が斜視図により示されている。
【００２１】
この図に示されるように車両用シート１０はシート本体としてのシートバック１２を備えている。シートバック１２はシートバック１２の骨格部材を構成するシートバックフレーム１４を備えている。シートバックフレーム１４は一対のサイドフレーム１６を備えている。これらのサイドフレーム１６は車両用シート１０の幅方向に沿って厚さ方向の板状に形成され、車両用シート１０の幅方向に互いに対向するように配置されている。
【００２２】
これらのサイドフレーム１６の下端側にはロアフレーム１８が設けられている。ロアフレーム１８は車両用シート１０の前後方向に沿って厚さ方向の板状に形成されている。ロアフレーム１８の長手方向一端は一方のサイドフレーム１６に固定され、ロアフレーム１８の長手方向他端は他方のサイドフレーム１６に固定されている。これにより、両サイドフレーム１６の下端側がロアフレーム１８によって一体的に連結されている。
【００２３】
また、両サイドフレーム１６の上端側にはアッパパイプ２０が設けられている。アッパパイプ２０は断面円形のパイプ材を車両用シート１０の下方側へ向けて開口するように略凹字形状（又は略Ｕ字形状）に湾曲することで形成されている。このアッパパイプ２０の長手方向一端は一方のサイドフレーム１６の上端に固着されており、アッパパイプ２０の長手方向他端はサイドフレーム１６の上端に固着されている。これにより、両サイドフレーム１６の上端がアッパパイプ２０によって一体的に連結されている。
【００２４】
以上の構成のシートバックフレーム１４は、ウレタン樹脂等により形成されたパッド部２２により被覆され、更に、パッド部２２は布や皮等により形成された図示しない表皮材によって被覆される。
【００２５】
以上の構成のシートバック１２の上側には、アクティブヘッドレスト装置２４を構成するヘッドレスト２６が配置されている。シートバック１２の下側に設けられる図示しないシートクッションに着座した乗員の後頭部をアクティブヘッドレスト装置２４に寄り掛からせることができる。
【００２６】
＜アクティブヘッドレスト装置２４の構成＞
（荷重検出部２８の構成）
図１に示されるように、ヘッドレスト２６を含めて構成されるヘッドレスト可動機構としてのアクティブヘッドレスト装置２４は荷重検出手段としての荷重検出部２８を備えている。荷重検出部２８は検出部本体３０と受圧部３２とにより構成されている。ここで、図２には検出部本体３０を拡大した斜視図が示されており、図３には検出部本体３０の分解斜視図が示されている。
【００２７】
これらの図に示されるように、検出部本体３０はライトハウジング３４を備えている。ライトハウジング３４は厚さ方向が車両用シート１０の幅方向に沿った底壁３６を備えている。また、ライトハウジング３４は周壁３８を備えている。周壁３８は底壁３６の外周部に沿って形成されており、このため、ライトハウジング３４は車両用シート１０の左方へ向けて開口した有底形状となっている。この車両用シート１０の幅方向に沿ったライトハウジング３４の左方にはレフトハウジング４０が設けられている。レフトハウジング４０は厚さ方向が車両用シート１０の幅方向に沿った底壁４２を備えている。また、レフトハウジング４０は周壁４４を備えている。周壁４４は底壁４２の外周部に沿って形成されており、このため、レフトハウジング４０は車両用シート１０の右方へ向けて開口した有底形状となっている。
【００２８】
周壁４４の外周部には固定部４６が形成されている。固定部４６からは車両用シート１０の幅方向右方へ向けて図示しない固定ピンが突出形成されている。この固定ピンが形成された固定部４６に対応して周壁３８の外周部には固定部４８が形成されている。固定部４８には車両用シート１０の幅方向左方へ向けて開口した孔が形成されており、この孔へ固定部４６の固定ピンが入り込んでレフトハウジング４０がライトハウジング３４に固定され、ライトハウジング３４とレフトハウジング４０とは互いに開口端が閉止されて全体的に中空形状となる。
【００２９】
さらに、ライトハウジング３４の固定部４８及びレフトハウジング４０の固定部４６にはそれぞれ取付片５０が形成されている。この取付片５０を貫通するボルトが上記のロアフレーム１８を更に貫通したうえでナットが螺合することにより、ライトハウジング３４及びレフトハウジング４０がロアフレーム１８に固定される。
【００３０】
一方、検出部本体３０は揺動片５４を備えている。揺動片５４は揺動片本体５６を備えている。この揺動片本体５６には車両用シート１０の幅方向に沿って軸方向とされた軸部５８が形成されている。軸部５８の一端に対応してライトハウジング３４の底壁３６には、車両用シート１０の幅方向に沿った左方へ向けて開口した断面円形の軸受部６０が形成されている。これに対して、軸部５８の他端に対応してレフトハウジング４０の底壁４２には車両用シート１０の幅方向に沿った右方へ向けて開口した断面円形の軸受部６２が軸受部６０に対して同軸的に形成されている。軸受部６０は軸部５８の一端を回動自在に軸支し、軸受部６２は軸部５８の他端を回動自在に軸支している。
【００３１】
揺動片本体５６の軸部５８とは反対側は、ライトハウジング３４の周壁３８に形成された切欠部６４とレフトハウジング４０の周壁４４に形成された切欠部６６とにより構成された矩形の開口部６８からライトハウジング３４及びレフトハウジング４０の外部へ突出している。さらに、揺動片本体５６の軸部５８とは反対側には連結部７０が形成されており、スライダ７２の連結軸７４が車両用シート１０の幅方向を軸方向とする軸周りに回動可能に連結部７０に連結されている。スライダ７２の連結軸７４とは反対側は開口部６８を通過してライトハウジング３４及びレフトハウジング４０の内側に入り込んでいる。
【００３２】
スライダ７２の連結軸７４とは反対側にはシャフト取付部７６が形成されており、車両用シート１０の幅方向に沿って軸方向とされたスライドシャフト７８がシャフト取付部７６に設けられている。このシャフト取付部７６の軸方向一端に対応してライトハウジング３４の底壁３６には、車両用シート１０の幅方向に沿った左方へ向けて開口したガイド溝８０が形成されている。
【００３３】
これに対して、軸部５８の他端に対応してレフトハウジング４０の底壁４２には車両用シート１０の幅方向に沿った右方へ向けて開口したガイド溝８２が形成されている。ガイド溝８０、８２は共に車両用シート１０の高さ方向に沿って長手方向とされた長孔形状とされており、各々の短幅方向の内幅寸法はスライドシャフト７８の外径寸法よりも僅かに大きく、ガイド溝８０はガイド溝８０に入り込んだスライドシャフト７８の一端をガイド溝８０の長手方向にガイド可能で、ガイド溝８２はガイド溝８２に入り込んだスライドシャフト７８の他端をガイド溝８２の長手方向にガイド可能とされている。
【００３４】
長孔形状のガイド溝８０、８２の長手方向両端のうち、軸受部６０、６２に近い側にスライドシャフト７８が位置した状態で、連結部７０をライトハウジング３４及びレフトハウジング４０の内方側へ押し込むように押圧すると、スライダ７２の連結軸７４が連結部７０に対して回動しつつ連結部７０と共にライトハウジング３４及びレフトハウジング４０の内方側へ移動する。この移動に伴い、シャフト取付部７６はスライドシャフト７８と共に軸受部６０、６２に軸支された軸部５８から離間するようにガイド溝８０、８２に案内されて移動する構造になっている。
【００３５】
開口部６８から突出した連結部７０の前方側に受圧部３２が設けられる。受圧部３２は車両用シート１０の前後方向に沿って厚さ方向の板状に形成されており、厚さ方向一方の面（後面）が連結部７０に対向している。図４に示されるように、この受圧部３２に対応してシートバック１２のパッド部２２には支持部としての凹部８４が形成されている。凹部８４はパッド部２２のロアフレーム１８に係合してロアフレーム１８に支持される係合部８６よりも上側でパッド部２２の背面で開口している。
【００３６】
図５に示されるように、この凹部８４にはサポータ８８が設けられている。サポータ８８はパッド部２２よりも硬質な金属又は合成樹脂材により形成されており、凹部８４の内面に接着剤等により固着され、又は、パッド部２２を成形する際にサポータ８８がインサート成形されることでサポータ８８が凹部８４の内側に設けられている。サポータ８８は凹部８４の開口方向と略同方向へ向けて開口した凹形状とされている。また、サポータ８８の内周形状は受圧部３２の外周形状よりも小さい。
【００３７】
但し、サポータ８８の底部近傍には、サポータ８８の開口径方向内方へ向けて開口した取付溝９０がサポータ８８の内周方向に沿って連続して形成されており、受圧部３２は外周部とその近傍が取付溝９０の内側へ入り込むことでサポータ８８に保持される。サポータ８８の開口方向とは反対側、すなわち、車両用シート１０の前方側からパッド部２２及びサポータ８８の底部を介して受圧部３２に押圧力が伝わると、受圧部３２は対向する連結部７０に接近して連結部７０を押圧する構成となっている。
【００３８】
なお、本実施の形態では、受圧部３２を単なる平板として説明したが、受圧部３２の板厚（肉厚）を適宜に増減したり、受圧部３２の適宜位置に貫通孔を形成して肉抜きしたりすることで、受圧部３２の剛性を部分的に変化させ、受圧部３２を車両用シート１０の前方側からの押圧力で連結部７０側へ変形し易くする構成としてもよいし、また、細幅板状の板ばね材を適宜に組み合わせて全体として平板状の受圧部３２とし、受圧部３２を車両用シート１０の前方側からの押圧力で連結部７０側へ変形し易くする構成としてもよい。
【００３９】
さらに、受圧部３２の連結部７０に対向する部分が連結部７０を押圧した際に連結部７０からの反力で変形しないよう、受圧部３２の連結部７０と対向する部分の板厚を他の部分よりも厚くしたり、受圧部３２の連結部７０と対向する部分にリブ等を形成したりすることで、受圧部３２の連結部７０と対向する部分の剛性を他の部分よりも高く設定する構成としてもよい。
【００４０】
また、本実施の形態では、上記のように、凹部８４に設けたサポータ８８の取付溝９０に受圧部３２を保持させる構成としたが、例えば、図６に示されるように、受圧部３２を接着剤等で凹部８４に固着する構成としてもよい。さらに、図７及び図８に示されるように凹部８４の内周部下側に上方へ開口したポケット９２を形成し、このポケット９２に受圧部３２を挿し込むと共に、サポータ８８から突出形成され、又は、サポータ８８に形成された孔部をパッド部２２の一部が貫通することで形成された抜止突起９４を受圧部３２に形成された孔９６に入り込ませることで受圧部３２を凹部８４に装着する構成としてもよい。
【００４１】
また、図面を用いた詳細な説明は省略するが、パッド部２２を成形する際に受圧部３２をインサート成形することで受圧部３２をパッド部２２に取り付ける構成としてもよい。
【００４２】
一方、図１に示されるように、上述したスライドシャフト７８は、連結部材としての一端に設けられたプレート１００を貫通しており、プレート１００がスライドシャフト７８と共にガイド溝８０、８２に案内されて移動することで、スライドシャフト７８にケーブル９８が引っ張られ、また、スライドシャフト７８によるケーブル９８の引っ張りが解除される構成になっている。凹部８４はチューブ１０２を通過して、その他端は摺動ユニット１１０に導かれている。
【００４３】
（摺動ユニット１１０の構成）
図９には摺動ユニット１１０の構成が斜視図により示されている。また、図１１には摺動ユニット１１０の構成が分解斜視図により示されている。
【００４４】
これらの図に示されるように、摺動ユニット１１０は左右一対のユニットブラケット１１２を備えている。これらのユニットブラケット１１２は適宜に湾曲又は屈曲した板状部材とされており、一方のユニットブラケット１１２は一方のサイドフレーム１６側でアッパパイプ２０にねじ等で固定され、他方のユニットブラケット１１２は他方のサイドフレーム１６側でアッパパイプ２０にねじ等で固定されている。
【００４５】
これらのユニットブラケット１１２にはベースプレート１１４が取り付けられる。ベースプレート１１４は基本的に厚さ方向が車両用シート１０の前後方向に沿うが、適宜に屈曲又は湾曲された板材とされている。ベースプレート１１４の前方側には左右一対のブラケットガイド１１６が設けられている。一対のブラケットガイド１１６の一方は、一方のサイドフレーム１６の側でねじ等によってベースプレート１１４に固定されており、他方のブラケットガイド１１６は他方のサイドフレーム１６の側でねじ等によってベースプレート１１４に固定されている。
【００４６】
これらのブラケットガイド１１６にはベースプレート１１４の側へ向けて開口した断面凹形状のガイド部本体１１８が形成されている。このガイド部本体１１８に対応して上記のベースプレート１１４にはブラケットガイド１１６の側へ向けて開口した断面凹形状に屈曲されたベース側ガイド部１２０が形成されている。ベース側ガイド部１２０はガイド部本体１１８と対向するように形成されており、このガイド部本体１１８とベース側ガイド部１２０との間にはヘッドレストブラケット１２２が配置される。
【００４７】
ヘッドレストブラケット１２２は車両用シート１０の略上下方向へ向けて長手方向とされた断面矩形の筒形状に形成されている。ヘッドレストブラケット１２２の外周形状はガイド部本体１１８とベース側ガイド部１２０とが対向した状態での内周形状よりも充分に小さく、ヘッドレストブラケット１２２はガイド部本体１１８及びベース側ガイド部１２０の内側で車両用シート１０の上下方向に移動可能であると共に、ガイド部本体１１８やベース側ガイド部１２０に干渉されるまで車両用シート１０の前後方向へもヘッドレストブラケット１２２は移動可能である。
【００４８】
ベース側ガイド部１２０の上端側ではベースプレート１１４にガイド片１２４が形成されている。ガイド片１２４は一端がベース側ガイド部１２０の底部上端に繋がっている。ガイド片１２４の他端は一端よりも車両用シート１０の上方で且つ前方側に位置しており、このガイド片１２４の他端部がヘッドレストブラケット１２２の外周一部に当接する。ガイド片１２４の他端側ではベースプレート１１４に通常時保持部１２６が形成されている。通常時保持部１２６はベース側ガイド部１２０と同様にガイド部本体１１８側へ向けて開口した凹形状とされているが、車両用シート１０の幅方向に沿った通常時保持部１２６の内幅寸法は同方向に沿ったヘッドレストブラケット１２２の幅寸法よりも極僅かに大きい程度とされている。
【００４９】
一方、ヘッドレストブラケット１２２の下端部近傍の後方にはシャフト１２８がヘッドレストブラケット１２２に対して一体的に設けられている。このシャフト１２８は正面視矩形のブロック状に形成されたスライダ１３０が回動自在に軸支している。スライダ１３０に対応して上記のブラケットガイド１１６にはスライダガイド部１３２が形成されている。このスライダガイド部１３２に対向してベースプレート１１４にはスライダガイド面１３４が形成されている。スライダ１３０はスライダガイド部１３２とスライダガイド面１３４との間に介在しており、スライダガイド部１３２とスライダガイド面１３４とに案内されて車両用シート１０の上下方向にスライド可能となっている。
【００５０】
但し、スライダガイド部１３２とスライダガイド面１３４とは、その対向方向が車両用シート１０の前後方向に対して上下方向に傾斜しており、このため、スライダ１３０はスライダガイド部１３２及びスライダガイド面１３４に案内されて上方へスライドするにつれて、車両用シート１０の後方側へ変位する。
【００５１】
ここで、図１２の（Ａ）、（Ｂ）の模式図に示されるように、スライダ１３０が上方へスライドするにつれてスライダ１３０が後方へ変位することで、ヘッドレストブラケット１２２の下端側も後方へ変位する。このように、下端側が後方へ変位することで、ヘッドレストブラケット１２２はガイド片１２４との当接部位を中心に回動し、これにより、ガイド片１２４との当接部位よりも上側ではヘッドレストブラケット１２２が前方に回動する。
【００５２】
図１１に示されるように、以上のような動作をするヘッドレストブラケット１２２の先端側（上端側）には断面矩形の筒状に形成されたガイドスペーサ１３６が装着され、更に、上記のヘッドレスト２６が取り付けられる。これに対して、ヘッドレストブラケット１２２の基端側（下端側）の後方にはコネクティングブラケット１３８が設けられている。コネクティングブラケット１３８は車両用シート１０の幅方向に沿って長手で前後方向に沿って厚さ方向とされた板状に形成されており、その一端には一方のヘッドレストブラケット１２２が連結され他端には他方のヘッドレストブラケット１２２が連結されている。
【００５３】
このコネクティングブラケット１３８の長手方向略中央の後方にはカバープレート１４０が配置されており、更に、カバープレート１４０の後方には一対のセクタギヤ１４２、セクタギヤ１４４が配置されている。セクタギヤ１４２とセクタギヤ１４４とは互いに噛み合った状態でベースプレート１１４とカバープレート１４０とにより車両用シート１０の前後方向を軸方向とする軸周りに回動可能に軸支されている。
【００５４】
また、セクタギヤ１４２における回動中心から離間した位置にはセクタギヤ１４２にケーブル係止部１４６が形成されており、上述したケーブル９８の他端が係止されている。さらに、セクタギヤ１４４の回動中心を介してセクタギヤ１４４のギヤ部とは反対側にはばね係止部１４８が形成されている。このばね係止部１４８には圧縮コイルスプリングにより構成されたリターンスプリング１５０の一端が係止されている。リターンスプリング１５０の他端はベースプレート１１４に形成されたばね係止部１５２に係止されており、ケーブル９８によりケーブル係止部１４６が引っ張られて回動するセクタギヤ１４２は、リターンスプリング１５０の付勢力に抗してセクタギヤ１４４を回動させるようになっている。
【００５５】
さらに、セクタギヤ１４２、１４４の回動中心を介してギヤ部とは反対側には孔部１５４がそれぞれ形成されている。各孔部１５４にはテーパピン１５６が装着されている。テーパピン１５６は、金属又は合成樹脂材により形成されて基端部がセクタギヤ１４２、１４４に取り付けられたピン本体に、合成樹脂材により形成された被覆部を被覆することで形成されている。ケーブル係止部１４６の被覆部はベースプレート１１４とは反対側へ向けて先細のテーパ状とされている。これらのケーブル係止部１４６はコネクティングブラケット１３８に形成された一対の長孔１５８の各々に入り込んでいる。
【００５６】
一対の長孔１５８の一方はコネクティングブラケット１３８の長手方向中央よりも一端側に形成され、他方の長孔１５８はコネクティングブラケット１３８の長手方向中央よりも他端側に形成されている。これらの長孔１５８は車両用シート１０の幅方向に沿って長手とされており、その短幅方向の内幅寸法は、テーパピン１５６の基端部における外径寸法よりも小さく形成されており、長孔１５８に入り込んだテーパ形状のテーパピン１５６はテーパ面が長孔１５８の内周縁部に圧接している。
【００５７】
セクタギヤ１４２が回動すると、セクタギヤ１４２に装着されたテーパピン１５６が一方の長孔１５８の内周部を押圧してコネクティングブラケット１３８を上下に移動させると共に、セクタギヤ１４２に連動するセクタギヤ１４４に装着されたテーパピン１５６が他方の長孔１５８の内周部を押圧してコネクティングブラケット１３８を上下に移動させる構造になっている。
【００５８】
また、本実施の形態では、セクタギヤ１４２とセクタギヤ１４４との噛み合いにおけるバックラッシ等に基づいて、一対の長孔１５８の一方と他方とで形状や形成位置が微妙に異なっており、これにより、一方のテーパピン１５６が長孔１５８の内周部を押圧するタイミングと他方のテーパピン１５６が長孔１５８の内周部を押圧するタイミングとの調整が図られている。
【００５９】
〔第１の実施の形態の作用、効果〕
（機能面での作用、効果）
次に、アクティブヘッドレスト装置２４の動作の説明を通して動作面での本実施の形態の作用並びに効果について説明する。
【００６０】
アクティブヘッドレスト装置２４を備えた本車両用シート１０では、例えば、本車両用シート１０を搭載した車両が後方から他の車両に追突される等の反動で、車両用シート１０に着座した乗員の身体がシートバック１２を前方側から押圧すると（すなわち、車両用シート１０に着座した乗員が勢いよくシートバック１２に凭れ掛かると）、乗員の身体からの押圧力を受けた受圧部３２が後方へ移動する。後方へ移動した受圧部３２は揺動片５４の連結部７０を後方へ押圧する。
【００６１】
受圧部３２に連結部７０が押圧された揺動片５４は軸部５８周りにスライダ７２を回動し、これにより、連結部７０に連結されたスライダ７２はスライドシャフト７８をガイド溝８０、８２の他端側へ移動させる。このように、スライドシャフト７８が移動するとプレート１００を介してケーブル９８が引っ張られる。ケーブル９８が引っ張られることで、図１０に示されるように、セクタギヤ１４２が回動すると、セクタギヤ１４２に噛み合うセクタギヤ１４４がリターンスプリング１５０の付勢力に抗して回動する。
【００６２】
このようにセクタギヤ１４２及びセクタギヤ１４４の双方が回動すると、セクタギヤ１４２、１４４の各々に装着されたテーパピン１５６が長孔１５８の内周部、すなわち、コネクティングブラケット１３８を押し上げる。コネクティングブラケット１３８が押し上げられることで両ヘッドレストブラケット１２２が上方へ移動するが、このヘッドレストブラケット１２２の上方への移動に伴い、スライダ１３０がスライダガイド部１３２及びスライダガイド面１３４に案内されて上方へスライドする。
【００６３】
上述したように、スライダ１３０がスライダガイド部１３２及びスライダガイド面１３４に案内されて上方へスライドするにつれて、車両用シート１０の後方側へ変位し、これに伴い、ヘッドレストブラケット１２２の下端側も後方へ変位する。このように、ヘッドレストブラケット１２２は上昇しつつ下端側が後方へ変位することで、ヘッドレストブラケット１２２はガイド片１２４との当接部位を中心に回動し、これにより、ガイド片１２４との当接部位よりも上側ではヘッドレストブラケット１２２が前方に回動する。これにより、ガイドスペーサ１３６を介してヘッドレストブラケット１２２に連結されたヘッドレスト２６は前方側へ変位する。
【００６４】
ヘッドレスト２６が前方へする前の状態で車両用シート１０に着座した乗員の後頭部がヘッドレスト２６に当接していないのであれば（ヘッドレスト２６よりも乗員の後頭部が前方に位置しているのであれば）、上記のようにヘッドレスト２６が前方へ変位することでヘッドレスト２６が乗員の後頭部に接近し、ヘッドレスト２６と乗員の後頭部との間の隙間を小さくする。これにより、他の車両に追突される等の反動で、車両用シート１０に着座した乗員の頭部が後方へ移動した場合でも、頭部を大きく後方へ移動させることなく早急にヘッドレスト２６で乗員の頭部を受け止めることができる。
【００６５】
ここで、本車両用シート１０に適用されるアクティブヘッドレスト装置２４では、セクタギヤ１４２が一方のヘッドレストブラケット１２２を押し上げると共に、セクタギヤ１４２に連動したセクタギヤ１４４が他方のヘッドレストブラケット１２２を押し上げる。このように、両方のヘッドレストブラケット１２２が同時に押し上げられることで、ヘッドレストブラケット１２２が押し上げられる際に左右にこじれが生じることがない。これにより、ヘッドレストブラケット１２２を確実に押し上げることができ、ヘッドレスト２６を確実に前方へ変位させることができる。
【００６６】
また。セクタギヤ１４２とセクタギヤ１４４との噛み合いにおけるバックラッシ等に起因する作動タイミングの誤差は、上記のように長孔１５８の位置や形状を左右で異ならせることで予め吸収される。これによって、更に確実に両方のヘッドレストブラケット１２２を同時に押し上げることができ、ヘッドレスト２６を確実に前方へ変位させることができる。
【００６７】
さらに、本車両用シート１０に適用されるアクティブヘッドレスト装置２４では、長孔１５８に入り込んだテーパ形状のテーパピン１５６はテーパ面が長孔１５８の内周縁部に圧接している。このため、両テーパピン１５６の上昇開始と同時に両長孔１５８の内周部を長孔１５８で押圧できる。これによっても、ヘッドレストブラケット１２２を確実に同時に押し上げることができ、ヘッドレスト２６を確実に前方へ変位させることができる。
【００６８】
また、本車両用シート１０に適用されるアクティブヘッドレスト装置２４では、スライダ１３０が正面視で矩形となっている。このため、正面視におけるスライダ１３０の四辺のうち、スライダガイド部１３２及びスライダガイド面１３４に沿った辺の長さ分に応じたスライダガイド部１３２及びスライダガイド面１３４との接触面積を有する。このため、スライダガイド部１３２及びスライダガイド面１３４との当接部位における面圧を低減できる。これにより、スライダ１３０を確実にスライドさせることができ、ひいては、ヘッドレストブラケット１２２を確実に上昇させて前方へ変位させることができる。
【００６９】
しかも、長孔１５８に入り込んだテーパ形状のテーパピン１５６はテーパ面が長孔１５８の内周縁部に圧接しているため、通常時においてセクタギヤ１４２やセクタギヤ１４４に生じるガタをコネクティングブラケット１３８で抑えることができる。これにより、通常時における静粛性能を向上できる。
【００７０】
（車両用シート１０の製造時面での作用、効果）
次に、本車両用シート１０を製造するにあたっての作用並びに効果について説明する。
【００７１】
本車両用シート１０では、シートバック１２のパッド部２２に形成された凹部８４にサポータ８８が設けられ、このサポータ８８に形成された取付溝９０に荷重検出部２８を構成する受圧部３２が装着される。また、上述した他の凹部８４への受圧部３２の装着例では、接着剤により受圧部３２がサポータ８８に固着されたり、又は、ポケット９２に受圧部３２が挿し込まれたりする。すなわち、何れの態様も受圧部３２は基本的にパッド部２２に支持される構成となっている。このため、シートバック１２のばね系等の構造に関係なく、検出部本体３０の連結部７０と対向する位置に受圧部３２を配置できる。
【００７２】
また、上記のように、パッド部２２が成形されることで、パッド部２２に受圧部３２の支持部（装着部）が形成されるため、あらためてシートバック１２に受圧部３２の支持部を設けなくてもよい。このため、受圧部３２の支持部（装着部）の形成作業が不要で、製造コストを安価にできる。
【００７３】
さらに、パッド部２２を成形する際に、受圧部３２をインサート成形する構成にした場合には、パッド部２２に対する受圧部３２の装着をパッド部２２の成形時に行えるため、実質的には受圧部３２の装着作業が不要になる。このため、このような構成では、受圧部３２の装着作業を行わなくてもよく、この意味でも製造コストを安価にできる。
【００７４】
一方、本車両用シート１０では、これまでに説明したように、検出部本体３０の構成部品の全てが軸部５８の軸方向に沿って組み付けられる。このため、検出部本体３０を組み立てるにあたり、検出部本体３０の構成部品の向きを変えたりすることがないため、組立作業の作業性を向上できる。しかも、検出部本体３０の組み立てを機械化する場合には、部品の組付方向を１方向とすることで組立機械（例えば、ロボット）の構造を簡素化できる。
【００７５】
さらに、本車両用シート１０では、摺動ユニット１１０の構成部品も基本的にセクタギヤ１４２、１４４の回動軸方向に沿っている。このため、摺動ユニット１１０の組み立てに関してもまた検出部本体３０と同様の作用を奏し、同様の効果を得ることができる。
【００７６】
〔第２の実施の形態〕
次に、上記の検出部本体３０の変形例を本発明の第２の実施の形態として説明する。なお、本実施の形態を説明するにあたり、基本的に前記第１の実施の形態における検出部本体３０と同一の部位に関しては、同一の符号を付与してその詳細な説明を省略する。
【００７７】
図１３には上記の荷重検出部２８の検出部本体３０の変形例である荷重検出部１７０の検出部本体１７２の構成が分解斜視図により示されている。この図に示されるように、本検出部本体１７２は基本的に検出部本体３０と同じ構造であるが、検出部本体３０ではケーブル９８の一端がプレート１００を介してスライドシャフト７８に係止されていたのに対し、本検出部本体１７２では、ケーブル９８はスライドシャフト７８に掛け回されて折り返された後、スライドシャフト７８よりも軸部５８側でレフトハウジング４０に係止されている。
【００７８】
このため、本検出部本体１７２では、ガイド溝８０、８２に案内されてのスライドシャフト７８が移動すると、スライドシャフト７８での折り返し部分を境とするケーブル９８の一方の側と他方の側の双方でスライドシャフト７８の移動量に応じて長さが変化する。すなわち、本検出部本体１７２では、スライドシャフト７８の移動量に対して２倍の長さ分だけケーブル９８の引っ張ることができる。
【図面の簡単な説明】
【００７９】
【図１】本発明の第１の実施の形態に係る車両用シートの要部の概略を示す斜視図である。
【図２】本発明の第１の実施の形態に係る車両用シートの荷重検出手段の検出部の斜視図である。
【図３】本発明の第１の実施の形態に係る車両用シートの荷重検出手段の検出部の分解斜視図である。
【図４】本発明の第１の実施の形態に係る車両用シートの荷重検出手段の受圧部とパッドを示す斜視図である。
【図５】本発明の第１の実施の形態に係る車両用シートの荷重検出手段の受圧部とパッドの断面図である。
【図６】荷重検出手段の受圧部とパッドの変形例を示す断面図である。
【図７】荷重検出手段の受圧部とパッドの他の変形例を示す斜視図である。
【図８】荷重検出手段の受圧部とパッドの他の変形例を示す断面図である。
【図９】本発明の第１の実施の形態に係る車両用シートの摺動ユニットの斜視図である。
【図１０】動作状態での摺動ユニットの斜視図である。
【図１１】本発明の第１の実施の形態に係る車両用シートの摺動ユニットの分解斜視図である。
【図１２】摺動ユニットを模式的に示す図で、（Ａ）は動作前を示し、（Ｂ）は動作後を示す図である。
【図１３】本発明の第２の実施の形態に係る車両用シートの荷重検出手段の検出部の分解斜視図である。
【符号の説明】
【００８０】
１０    車両用シート
１２    シートバック（シート本体）
２２    パッド部
２４    アクティブヘッドレスト装置（ヘッドレスト可動機構）
２６    ヘッドレスト
２８    荷重検出部（荷重検出手段）
８４    凹部（支持部）
【図１】
2008018739.tif 000003
【図２】
2008018739.tif 000004
【図３】
2008018739.tif 000005
【図４】
2008018739.tif 000006
【図５】
2008018739.tif 000007
【図６】
2008018739.tif 000008
【図７】
2008018739.tif 000009
【図８】
2008018739.tif 000010
【図９】
2008018739.tif 000011
【図１０】
2008018739.tif 000012
【図１１】
2008018739.tif 000013
【図１２】
2008018739.tif 000014
【図１３】
2008018739.tif 000015